(57)【特許請求の範囲】
【請求項１】
トイレ内の便器に備えられ、ノズルより洗浄水を噴射して人体局部を洗浄する、該ノズルよりも上流側に給水メインバルブを備えた局部洗浄装置に対して給水を行うための給水路上に、該給水路を開閉する電磁弁を該給水メインバルブとは別途に、且つ該給水メインバルブより上流側で分岐した、便器洗浄用給水弁を備えた便器洗浄装置への給水用の分岐流路よりも更に上流側に設けるとともに、人体検知センサによる便器使用者の人体検知に基づいて該電磁弁を開動作させ、また人体非検知後、該便器洗浄装置への給水の終了に必要な時間と同等若しくは余裕時間を見込んだ設定時間経過後に該電磁弁を閉動作させる制御部を設けたことを特徴とするトイレの漏水防止装置。
【請求項２】
請求項１において、前記局部洗浄装置は前記給水メインバルブに加えてノズル切替弁を備えていることを特徴とするトイレの漏水防止装置。
【請求項３】
請求項１，２の何れかにおいて、前記制御部は前記局部洗浄装置の制御部にて構成されていることを特徴とするトイレの漏水防止装置。
【発明の詳細な説明】
【０００１】
【発明の属する技術分野】
この発明はトイレの漏水防止装置に関する。
【０００２】
【従来の技術】
近年、トイレ内の便器に備えられ、ノズルから洗浄水を噴射して人体局部を洗浄する局部洗浄装置が広く使用されるに至っている。
図５はその局部洗浄装置の一例を便器とともに示している。
同図において２００は便器で、２０２は便器本体、２０４，２０６はそれぞれ便座及び便蓋であり、２０８は便器本体２０２の後部上面に載置状態に設置された洗浄タンクである。
【０００３】
２１０は一対のノズル２１２の一方から洗浄水を噴射して人体局部を洗浄する局部洗浄装置で本体ボックス２１４を有しており、その内部に各種機構部が内蔵されている。
この本体ボックス２１４の上面、詳しくは本体ボックス２１４における便器本体２０２の側部上面には、各種動作を行わせるための操作部２１６が設けられている。
【０００４】
２１８はトイレの室内面部、この例では壁Ｗの内面部に配された給水元管２２０に接続された止水栓である。
この止水栓２１８は、洗浄タンク２０８及び局部洗浄装置２１０への給水量の調節及び止水を行うものである。
【０００５】
この止水栓２１８には分岐栓２２２が接続されており、その分岐栓２２２から一対のサプライ管２２４及び２２６が延び出しており、それぞれの先端部が洗浄タンク２０８及び局部洗浄装置２１０の本体ボックス２１４に接続されている。
【０００６】
【発明が解決しようとする課題】
ところで局部洗浄装置２１０にあっては、急激な給水停止に伴う水撃その他の理由によって例えばストレーナの脱着部２２８が緩んだり故障したりして漏水を起こすことがある。或いはまた洗浄タンク２０８への給水路上の配管接続部等において漏水を起こすことがある。
【０００７】
この場合、特に長期間家を留守にしたような場合においてそのような漏水が起ると、そのままトイレ内に水が長時間流出し続けることとなってトイレが浸水してしまい、また場合によってトイレが２階などにあるような場合には階下の天井を濡らしてしまうなどの事故につながる恐れがある。
【０００８】
【課題を解決するための手段】
本願の発明のトイレの漏水防止装置はこのような課題を解決するために案出されたものである。
而して請求項１のものは、トイレ内の便器に備えられ、ノズルより洗浄水を噴射して人体局部を洗浄する、該ノズルよりも上流側に給水メインバルブを備えた局部洗浄装置に対して給水を行うための給水路上に、該給水路を開閉する電磁弁を該給水メインバルブとは別途に、且つ該給水メインバルブより上流側で分岐した、便器洗浄用給水弁を備えた便器洗浄装置への給水用の分岐流路よりも更に上流側に設けるとともに、人体検知センサによる便器使用者の人体検知に基づいて該電磁弁を開動作させ、また人体非検知後、該便器洗浄装置への給水の終了に必要な時間と同等若しくは余裕時間を見込んだ設定時間経過後に該電磁弁を閉動作させる制御部を設けたことを特徴とする。
【０００９】
請求項２のものは、請求項１において、前記局部洗浄装置は前記給水メインバルブに加えてノズル切替弁を備えていることを特徴とする。
【００１０】
請求項３のものは、請求項１，２の何れかにおいて、前記制御部は前記局部洗浄装置の制御部にて構成されていることを特徴とする。
【００１１】
【作用及び発明の効果】
上記請求項１のものは、局部洗浄装置及び便器洗浄装置に対して給水を行う給水路上に、その給水路を開閉する電磁弁を設けたもので、この請求項１の漏水防止装置の場合、例えば長期間留守をするような場合にはその電磁弁を閉動作させておくことによって、トイレ内の局部洗浄装置及び便器洗浄装置への給水を停止状態としておくことができる。
これにより例えば長期間留守をしたような場合において、局部洗浄装置及び便器洗浄装置から又はそれら衛生器具への給水配管上で漏水を起こして長時間トイレ内に水が流出し続け、トイレが浸水してしまうといった事故を未然に防ぐことができる。
【００１２】
尚止水栓も同様に止水を行う機能を有しているが、トイレに備えられている従来の止水栓は操作が面倒であり、留守をする度に止水栓を操作して給水を停止しておくといったことは一般には行われない。
しかるに電磁弁は簡単にこれを閉動作させることができ、以ってトイレ室内の局部洗浄装置及び便器洗浄装置への給水を簡単に停止状態としておくことができる。
【００１３】
またこの請求項１に記載のものは、人体検知センサによる便器使用者の人体検知及び人体の非検知により電磁弁を開閉動作させる制御部を設けたもので、この装置によれば、便器使用時のみ電磁弁を自動的に開いて局部洗浄装置及び便器洗浄装置への給水路を開放状態としておくことができ、便器を使用しないときには給水を停止状態としておくことができる。
【００１４】
この請求項１に記載のものでは、給水を洗浄タンク等便器洗浄用給水弁を備えた便器洗浄装置と局部洗浄装置とに分岐させる分岐部より上流部に電磁弁を設けており、このようにすることで、局部洗浄装置を使用していないときに確実に局部洗浄装置への給水を停止状態とすることができるのに加えて、便器洗浄装置への給水をも停止状態としておくことができる。
【００１５】
特にこの請求項１に記載のものでは、人体検知センサによる人体非検知後、便器洗浄装置への給水の終了に必要な時間と同等若しくは余裕時間を見込んだ設定時間経過後に制御部により電磁弁を閉動作させるようになしており、このようにしておけば、便器洗浄装置への給水を行っている間に人体検知センサが人体非検知となった場合にも、確実に給水停止した後に電磁弁を閉動作させることができる。
これにより、局部洗浄装置への給水中だけでなく、便器洗浄装置への給水中においても電磁弁の閉動作によって給水が途中で停止してしまうといった不都合を回避することができるとともに、給水中に電磁弁が閉動作することにより給水路が急激に閉じて水撃が発生するのを防止することができる。
また水撃の発生がないため水撃防止器を不要となし得、水撃防止器のためのコストを削減できる。
【００１６】
本発明において、局部洗浄装置は給水メインバルブに加えてノズル切替弁を備えたものとなしておくことができる（請求項２）。
更に上記制御部は、これを局部洗浄装置の制御部にて構成することができる（請求項３）。
また請求項１〜３において、上記人体検知センサは便器への人体の接近を検知するセンサとすることもできるし、或いはまた便座への人体の着座を検知する着座センサとすることもできる。
【００１７】
【実施例】
次に本発明の実施例を図面に基づいて詳しく説明する。
図１において１０は便器、１２は便器本体であり、１４，１６は便座及び便蓋である。１８はタンクケーシングであって内部に洗浄タンク２０が収容されている。
タンクケーシング１８の上部には手洗鉢２２が設けられており、そこに手洗用吐水口２４が付設されている。
【００１８】
タンクケーシング１８は、一対のノズル２６の一方から洗浄水を噴射して局部洗浄する局部洗浄装置２８のケーシングを兼ねており、その内部には局部洗浄装置２８の本体部が収容されている。
タンクケーシング１８の上部前面には、局部洗浄装置２８の第一人体検知センサ２９が設けられており、更に便蓋１６の下側に隠れる位置に第二人体検知センサ３０が設けられている。
【００１９】
ここで第一人体検知センサ２９は、便蓋１６が閉じた状態で人体が便器１０に接近したときにこれを検知するものである。
而して便蓋１６が閉じた状態で使用者が便器１０に接近すると、第一人体検知センサ２９がこれを検知し自動的に便蓋１６が開動作する。制御部３２がそのように構成されている。
この第一人体検知センサ２９は、便蓋１６が開いたとき便蓋１６の裏側に隠れた状態となる。
【００２０】
一方第二人体検知センサ３０は、便蓋１６が開いた状態で図４に示しているように外部に露出した状態となり、便蓋１６が開いた状態ではこの第二人体検知センサ３０が人体検知作用を行う。即ち便蓋１６が開いた状態で便器使用者が便器１０から遠ざかると、第二人体検知センサ３０がこれを検知して自動的に便蓋１６を閉動作させる。
【００２１】
尚、図４に示しているように便座１４の内部には着座センサ３４が埋設されている。
この着座センサ３４は、便器使用者が便座１４に着座したときこれを検知し、制御部３２に検知信号を送る。
【００２２】
図１及び図２において、３６はトイレの壁面Ｗの部分に設けられた給水元管端部で、この給水元管端部３６に電磁弁３８及び止水栓４０が接続されている。
ここで電磁弁３８は止水栓４０の上流部に設けられている。
【００２３】
尚、図２において４４は電磁弁３８に接続されたリード線で、電磁弁３８はリード線４４を介して局部洗浄装置２８の制御部３２に電気的に接続されている。
後述するように局部洗浄装置２８の制御部３２は、また、本例の漏水防止装置における制御部を構成している。
【００２４】
図２に示しているように止水栓４０は操作軸部４６を有しており、その操作軸部４６を工具を用いて回転操作することで水量調節及び止水を行い得るようになっている。
この止水栓４０からはサプライ管４２が延び出している。サプライ管４２は途中で分岐しており、その一方が局部洗浄装置２８に、また他方が洗浄タンク２０に接続されている。詳しくは洗浄タンク２０の内部に設けられた便器洗浄用給水弁（ボールタップ）４８（図３参照）に接続されている。
【００２５】
本例においては、これら便器洗浄用給水弁４８及び後述の便器洗浄弁５０を含む洗浄タンク２０が便器洗浄装置を構成している。
ここで便器洗浄弁５０は、洗浄タンク２０から便器本体１２への洗浄水の通路を開いて、便器本体１２に洗浄タンク２０内の洗浄水を供給し、便器洗浄を行わせるものである。
【００２６】
局部洗浄装置２８は、ノズル２６への給水の通路上に給水メインバルブ５２を有しており、この給水メインバルブ５２が制御部３２の制御の下に開閉することで、前記ノズル２６に対し給水が行われるようになっている。
【００２７】
制御部３２にはまたノズル切替弁５４が接続され、制御部３２の制御の下にノズル切替弁５４が切替動作を行うようになっている。
ここでノズル切替弁５４は一対のノズル２６の一方から他方へ或いはその逆に給水を切り替えるものである。
尚、制御部３２には局部洗浄装置２８に各種動作を行わせるための操作部５６が接続されている。
【００２８】
本例においては、使用者が便器１０に接近すると人体検知センサ２９がこれを検知して便蓋１６が開かれると同時に、閉状態にあった電磁弁３８が開動作する。
ここにおいて給水元管端部３６から局部洗浄装置２８及び洗浄タンク２０への給水のための通路が開かれた状態となる。
【００２９】
その後使用者が便器１０を使用して用を足した後、便器１０から再び遠ざかり、人体検知センサ３０の検知から外れると、その後において便蓋１６が閉じられるとともに自動的に便器洗浄弁５０が開かれて便器１０の洗浄が行われる。これと併せて洗浄タンク２０への給水が行われ、洗浄タンク２０が再び満水化される。
【００３０】
そして洗浄タンク２０が満水となって局部洗浄装置２８及び洗浄タンク２０の何れにも給水が行われなくなったところで、電磁弁３８が制御部３２の制御の下に閉動作し、局部洗浄装置２８及び洗浄タンク２０への給水のための通路が遮断される。
このとき、電磁弁３８は給水が停止した状態で閉動作するため、その電磁弁３８の閉動作に伴って水撃が発生することはない。
【００３１】
尚、制御部３２は人体非検知となった後設定時間経過後に電磁弁３８を閉鎖するものとされている。その設定時間は例えば５分程度とすることができる。
この５分の時間は、人体非検知となった後洗浄タンク２０への給水が終了するまでの時間に余裕時間を見込んだ時間で設定してある。
【００３２】
この洗浄タンク２０への給水に必要な時間は設置場所の給水圧等によって変化する。
従ってその設定時間は各種事情に応じ適宜に変更することが可能である。
【００３３】
尚この例では人体検知センサ２９又は３０による人体検知又は非検知に基づいて電磁弁３８を開動作又は閉動作させるようにしているが、場合によって着座センサ３４を人体検知センサとなして便座１４への着座の有無に基づき、電磁弁３８を開閉動作させるようにすることも可能である。
【００３４】
本例の装置によれば、便器１０使用時のみ電磁弁３８を自動的に開いて局部洗浄装置２８及び洗浄タンク２０への給水路を開放状態としておくことができ、便器１０を使用しないときには給水を自動的に停止状態としておくことができる。
従ってこの装置によれば、長期間留守をするような場合において確実に局部洗浄装置２８及び洗浄タンク２０への給水を停止しておくことができ、留守中に漏水を起こして長時間トイレ内に水が流出し続けるといったことを防止できる。
【００３５】
また給水路を水が流れていない状態で電磁弁３８を開閉させるため、電磁弁３８の開閉による急激な給水停止に伴う水撃を生じない利点を有する。
更に水撃の発生がないため水撃防止器を不要となし得、そのためのコストを削減することができる。
【００３６】
また本例では上記設定時間を、洗浄タンク２０への給水に必要な時間に余裕時間を見込んだ時間で設定してあり、従って洗浄タンク２０への給水を行っている間に第二人体検知センサ３０が人体非検知となった場合にも、確実に給水停止後において電磁弁３８を閉動作させることができる。
【００３７】
以上本発明の実施例を詳述したがこれはあくまで一例示である。
例えば人体検知センサは上例以外の他の様々な形態とすることも可能であるし、更に本発明は上例以外の他の形態の局部洗浄装置に適用することも可能であるなど、本発明はその主旨を逸脱しない範囲において種々変更を加えた形態で構成可能である。
【図面の簡単な説明】
【図１】  本発明の一実施例であるトイレの漏水防止装置を便器その他の部材とともに示す図である。
【図２】  図１における電磁弁とその周辺部を示す図である。
【図３】  同実施例装置の制御系統を示すブロック図である。
【図４】  同実施例の作用説明図である。
【図５】  本発明の背景説明のための説明図である。
【符号の説明】
１０  便器
２０  洗浄タンク
２６  ノズル
２８  局部洗浄装置
２９  第一人体検知センサ
３０  第二人体検知センサ
３２  制御部
３４  着座センサ
３６  給水元管端部
３８  電磁弁
４０  止水栓
４８  給水弁
５０  便器洗浄弁
Ｗ   壁面
【図１】
0004005245.tif 000002
【図２】
0004005245.tif 000003
【図３】
0004005245.tif 000004
【図４】
0004005245.tif 000005
【図５】
0004005245.tif 000006